(57)【要約】【課題】効率的に折り畳むことができ、しかも、脚体よりも高い位置から洗濯物などを吊り下げることができるようにした折畳式物干台を提供する。【解決手段】四角形状の天板部２０が、起立した姿勢で離間・接近自在に対峙している第１と第２の脚体１，２の上端に載せられている。天板部２０は、第１と第３の連結部材３１，３３を支点に傾斜姿勢となるように第２と第４の連結部材３２，３４が天板部２０の第２及び第４の角部２１ｂ，２１ｄと両脚体１，２の上端とを着脱自在に連結し、そして、前記天板部２０が第１と第２の連結部材３１，３２を支点に第１の脚体１に沿う垂下姿勢となるように第３と第４の連結部材３３，３４が天板部２０の第３及び第４の角部２１ｃ，２１ｄと第２の脚体２の上端とを着脱自在に連結している。【選択図】図１
2010057719.tif 000002
【特許請求の範囲】
【請求項１】
起立した姿勢で離間・接近自在に対峙している第１と第２の脚体がリンク機構によって連結され、四角形状の天板部が離間した第１と第２の脚体の上端に載せられ、天板部の一方の端部で一辺側の第１の角部と他辺側の第２の角部がそれぞれ第１と第２の連結部材によって第１の脚体の上端に連結され、天板部の他方の端部で一辺側の第３の角部と他辺側の第４の角部がそれぞれ第３と第４の連結部材によって第２の脚体の上端に連結されている折畳式物干台であって、
前記天板部が第１と第３の連結部材を支点に傾斜姿勢となるように第２と第４の連結部材が天板部の第２と第４の角部と各脚体の上端とを着脱自在に連結し、前記天板部が第１と第２の連結部材を支点に第１の脚体に沿う垂下姿勢となるように第３と第４の連結部材が天板部の第３と第４の角部と第２の脚体の上端とを着脱自在に連結していることを特徴とする折畳式物干台。
【請求項２】
前記第１と第２の連結部材は、天板部の一辺及び他辺に沿う方向の長穴を有し、天板部に固定された軸受と、前記長穴内に係入するように第１の脚体に突設された軸とを備えていることを特徴とする請求項１に記載の折畳式物干台。
【請求項３】
前記第３と第４の連結部材は、下向き鉤形状の掛止部を有し、天板部に固定されたフックと、前記掛止部内に係入するように第２の脚体に突設されたピンとを備えていることを特徴とする請求項１又は２に記載の折畳式物干台。
【請求項４】
前記天板部は、前記各連結部材に連結される中間部と、第１角部と第３の角部とを結ぶ一辺側を軸にして展開・折畳可能に連結された拡張部及び／又は第２の角部と第４の角部とを結ぶ他辺側を軸にして展開・折畳可能に連結された拡張部とが備えられていることを特徴とする請求項１ないし３のいずれか１項に記載の折畳式物干台。
【請求項５】
各脚体には、１又は２以上の側板部が水平姿勢と垂下姿勢とに方向転換可能に取り付けられていることを特徴とする請求項１ないし４のいずれか１項に記載の折畳式物干台。
【発明の詳細な説明】
【技術分野】
【０００１】
本発明は、起立した姿勢で対峙している一対の脚体や、この脚体の上端に載せられる天板部などが備えられ、使用時には一対の脚体が離間し、収納時には一対の脚体が近接することによって折り畳まれるようにされている折畳式物干台に関する。
【背景技術】
【０００２】
洗濯物を吊り下げて乾かすための物干台であって、使用しないときに折り畳めるようにしたものが多数提供されている。例えば、特許文献１には、収納時に折畳みが容易で、使用時に中央部に設けられた物干し枠を使いやすいようにした物干し具が記載されている。
【０００３】
この物干し具は、図６及び図７に示すように、起立した姿勢で対峙している一対の脚枠１１０，１１０と、この一対の脚枠１１０，１１０の中央部と下部とに架設された連結杆１２０，１３０と、中央部の連結杆１２０に摺動可能に設けられた物干し枠１４０とを備えている。中央部の連結杆１２０と下部の連結杆１３０は、ともに左側連結杆１２１，１３１と右側連結杆１２２，１３２とを枢着部１５０，１５０によって連結したもので、水平状態から山形に屈曲した状態に変形することができるようにされている。また、中央部の枢着部１５０と下部の枢着部１５０とには、リンクバー１５１が枢着されている。
【０００４】
さらに、中央部の左側連結杆１２１には、物干し枠１４０を左右に摺動自在に保持する固定具１４１が取り付けられている。また、物干し枠１４０の右側縁部には、中央部の右側連結杆１２２を係止する係止具１４２が設けられている。そして、脚枠１１０，１１０の上端には、物干し竿１１１を支持する竿受枠１１２が設けられている。さらに、一方の脚枠１１０には、物干し竿１１１を保持するための物干し竿収納部１１３が中央部と下部とに設けられている。
【０００５】
この物干し具は、物干し枠１４０に設けられた係止具１４２が右側連結杆１２２の上面に当接することにより、連結杆１２０，１３０が水平状態を維持するようにされている。そして、左右の脚枠１１０，１１０の竿受枠１１２に物干竿が架け渡されると、物干し竿１１１に洗濯物を干すことができる。
【０００６】
また、この物干し具を折り畳むには、物干し竿１１１を脚枠１１０，１１０の上端から取り外し、物干し竿収納部１１３に保持させる。そして、物干し枠１４０を左方向にスライドさせ、連結杆１２０，１３０を山形に屈曲させることにより、左右の脚枠１１０，１１０を互いに近接させる。すると、この物干し具は、図７に示すように、物干し枠１４０が上方に突出することなく、コンパクトになって収納される。
【０００７】
【特許文献１】特開２００７−２８２９８９号公報
【発明の開示】
【発明が解決しようとする課題】
【０００８】
特許文献１に記載された物干し具は、平行に起立した一対の脚枠１１０，１１０を近接、離間自在とするため、物干し竿１１１が脚枠１１０，１１０の上端に着脱可能とされている。したがって、この物干し具を折り畳むには、物干し竿１１１を脚枠１１０，１１０の上端から取り外し、脚枠１１０，１１０に沿うように物干し竿収納部１１３に保持させなければならない。
【０００９】
しかし、このような物干し竿１１１の着脱は、面倒である。しかも、脚枠１１０，１１０の中央部に物干し枠１４０が設けられていることから、物干し竿１１１には、物干し枠１４０までの長さの洗濯物しか吊り下げることができない。さらに、物干し竿１１１を着脱することができるように、脚枠１１０，１１０は背丈ほどの高さよりも高くすることができないことから、脚枠１１０から突出している部分の物干し竿１１１にも、背丈よりも長い洗濯物を吊り下げることができない。
【００１０】
そこで、本発明は、効率的に折り畳むことができ、しかも、脚体よりも高い位置から洗濯物などを吊り下げることができるようにした折畳式物干台を提供することを課題とする。
【課題を解決するための手段】
【００１１】
本発明に係る折畳式物干台は、起立した姿勢で離間・接近自在に対峙している第１と第２の脚体がリンク機構によって連結され、四角形状の天板部が離間した第１と第２の脚体の上端に載せられ、天板部の一方の端部で一辺側の第１の角部と他辺側の第２の角部がそれぞれ第１と第２の連結部材によって第１の脚体の上端に連結され、天板部の他方の端部で一辺側の第３の角部と他辺側の第４の角部がそれぞれ第３と第４の連結部材によって第２の脚体の上端に連結されている折畳式物干台であって、前記天板部が第１と第３の連結部材を支点に傾斜姿勢となるように第２と第４の連結部材が天板部の第２と第４の角部と各脚体の上端とを着脱自在に連結し、前記天板部が第１と第２の連結部材を支点に第１の脚体に沿う垂下姿勢となるように第３と第４の連結部材が天板部の第３と第４の角部と第２の脚体の上端とを着脱自在に連結していることを特徴としている。
【００１２】
この折畳式物干台によれば、第１と第２の脚体が離間した状態において脚体の上端に天板部が載せられるが、第２と第４の連結部材が天板部と脚体とを着脱自在に連結していることから、天板部が第１と第３の連結部材を支点に傾斜姿勢とし、また、第３と第４の連結部材が天板部を脚体に着脱自在に連結していることから、天板部が第１と第２の連結部材を支点に第１の脚体に沿う垂下姿勢とすることができる。そして、天板部が垂下姿勢となることにより、第１と第２の脚体を近接させ、コンパクトに折り畳むことができる。なお、第１と第２の脚体は、リンク機構によって離間した状態において安定した姿勢で起立し、さらに接近させることができる。
【００１３】
また、前記本発明に係る折畳式物干台において、前記第１と第２の連結部材は、天板部の一辺及び他辺に沿う方向の長穴を有し、天板部に固定された軸受と、前記長穴内に係入するように第１の脚体に突設された軸とを備えていることが好ましい。
【００１４】
この折畳式物干台によれば、第１と第２の連結部材が長穴を有する軸受と軸とを備え、軸が長穴内に係入していることにより、天板部の第１及び第２の角部と第１の脚体とが連結され、天板部は、軸受の長穴によって一辺及び他辺に沿う方向に位置ずれし、第３と第４の角部が第２の脚体の上端から外れ、第１と第２の連結部材を支点にして垂下姿勢とすることができる。
【００１５】
また、前記本発明に係る折畳式物干台において、前記第３と第４の連結部材は、下向き鉤形状の掛止部を有し、天板部に固定されたフックと、前記掛止部内に係入するように第２の脚体に突設されたピンとを備えていることが好ましい。
【００１６】
この折畳式物干台によれば、第３と第４の連結部材がフックとピンとを備えたものとされていることにより、天板部の第３と第４の角部を第２の脚体に容易に着脱することができる。
【００１７】
また、前記本発明に係る折畳式物干台において、前記天板部は、前記各連結部材に連結される中間部と、第１及び第３の角部を結ぶ一辺側を軸にして展開・折畳可能に連結された拡張部及び／又は第２及び第３の角部を結ぶ他辺側を軸にして展開・折畳可能に連結された拡張部とが備えられていることが好ましい。
【００１８】
この折畳式物干台によれば、天板部が中間部と拡張部とを備え、拡張部を展開することによって天板部の領域を中間部よりも拡大し、拡張部を折り畳むことによって天板部を脚体の幅に合わせるようにすることができる。
【００１９】
また、前記本発明に係る折畳式物干台において、各脚体には、１又は２以上の側板部が水平姿勢と垂下姿勢とに方向転換可能に取り付けられていることが好ましい。
【００２０】
この折畳式物干台によれば、側板部が水平姿勢となることによって洗濯物などを乾かす領域を拡大することができ、側板部が垂下姿勢となることによって両脚体を近接させたときに、側板部を脚体に沿わせ、コンパクト化を図ることができる。なお、ここでいう水平姿勢とは、厳格な意味での水平姿勢でなく、やや上向きの姿勢も含まれている。
【発明の効果】
【００２１】
本発明によれば、天板部が第１と第２の連結体によって第１の脚体の上端に連結され、第３と第４の連結体によって第２の脚体の上端に連結されることにより、傾斜姿勢と垂下姿勢とに方向転換可能な天板部を備えた折畳式物干台を提供することができる。天板部が傾斜姿勢となることにより、天板部の片方の辺が脚体よりも高く位置し、脚体よりも長い洗濯物などを吊り下げることができ、また、天板部が垂下姿勢となることにより、第１と第２の脚体を近接させ、コンパクトに折り畳むことができ、収納の利便性を確保することができる。
【発明を実施するための最良の形態】
【００２２】
本発明に係る折畳式物干台の一実施形態について図１ないし図５を参照しながら説明する。この折畳式物干台は、起立した姿勢で離間・接近自在に対峙している第１と第２の脚体１，２と、離間した脚体１，２の上端に載せられる四角形状の天板部２０と、脚体１，２と天板部２０とを連結する第１ないし第４の連結部材３１〜３４と、両脚体１，２に連結されたリンク機構４０と、両脚体１，２に取り付けられた側板部５０，５０，…とを備えている。なお、脚体１，２、天板部２０、リンク機構４０、側板部５０，５０…は、軽量化を図るため、基本的にアルミニウムによって成形されることが好ましい。
【００２３】
第１と第２の脚体１，２は、ともに２本の支柱１１，１１と、２本の支柱１１，１１の上端部と２か所の中間部とに架け渡されたバー１２，１３，１３と、支柱１１，１１の下端部に取り付けられたキャスタ１４とを備えている。このように脚体１，２が２本の支柱１１，１１などによって構成されることにより、軽量化が図られている。また、キャスタ１４，１４が備えられることにより、この折畳式物干台は、室内においてスムーズに移動させることができる。屋外で使用するための折畳式物干台にあっては、キャスタ１４を備えなくてもよい。なお、脚体１，２は、２本の支柱１１，１１でなく、平板によって構成してもよい。
【００２４】
そして、天板部２０は、離間している両脚体１，２の間隔と同じ長さで、両脚体１，２の奥行きと同じ幅とされた中間部２１と、この中間部２１の一辺２０ａ側と他辺２０ｂ側に連結された拡張部２２，２３とを備えている。拡張部２２，２３は、中間部２１から張り出した展開した状態と、中間部２１に重ね合わされる折り畳まれた状態とに展開・折畳自在に取り付けられている。
【００２５】
各拡張部２２，２３は、折り畳まれた状態において図３に示すように、外側辺２２ａ，２３ａ同士が向き合うような長さにされている。このような天板部２０は、両端に平行に配置されたサイドフレーム２４，２４と、このサイドフレーム２４，２４間に架け渡された多数の貫材２５，２５，…とによって横縞状に形成されている。
【００２６】
ここで、中間部２１の一方の端部２０ｃの一辺２０ａ側を第１の角部２１ａ、他辺２０ｂ側を第２の角部２１ｂといい、中間部２１の他方の端部２０ｄの一辺２０ａ側を第３の角部２１ｃ、他辺２０ｂ側を第４の角部２１ｄという。
【００２７】
そして、第１と第２の連結部材３１，３２が中間部２１の第１及び第２の角部２１ａ，２１ｂと第１の脚体１の上端とを連結し、第３と第４の連結部材３３，３４が中間部２１の第３と第４の角部２１ｄと第２の脚体２の上端とを連結する。ただし、第１ないし第４の連結部材３１〜３４は、中間部２１が第１と第３の角部２１ａ，２１ｃ側を支点にした傾斜姿勢と、第１と第２の角部２１ａ，２１ｂを支点にして第１の脚体１に沿う垂下姿勢となるように構成とされている。
【００２８】
すなわち、第１と第２の連結部材３１，３２は、図２に示すように、天板部２０の中間部２１に固定される軸受３５と第１の脚体１に突設される軸３６とを備えている。軸受３５には、天板部２０の一辺２０ａ及び他辺２０ｂに沿う方向の長穴３５ａが設けられ、軸３６が長穴３５ａ内に係入し、天板部２０が一辺及び他辺に沿う方向に位置ずれすることができるようにされている。なお、軸３６は、筒状とし、第１と第２の脚体１，２から突出するネジ３６ａによって固定してもよい。
【００２９】
そして、第３と第４の連結部材３３，３４は、図４の拡大部分に示すように、天板部２０に固定されるフック３７と第２の脚体２に突設されるピン３８とを備えている。フック３７には、下向き鍵形状の掛止部３７ａが設けられ、フック３７がピン３８に容易に着脱することができるようにされている。
【００３０】
さらに、第２の連結部材３２と第４の連結部材３４は、天板部２０が水平姿勢と傾斜姿勢と姿勢転換できるようにされており、そのため、第２の連結部材は、図２に示すように、中間部２１の第２の角部２１ｂと拡張部２３の内側辺とを回動可能に連結する連結部材３９に内向きのピン３９ａが突設され、このピン３９ａを係入する溝３９ｂが前記軸受３５を設けた基部３９ｃに設けられている。また、第４の連結部材３４は、図示しないが第２の連結部材３２と同様のピンや溝が形成されている。
【００３１】
なお、天板部２０が傾斜した姿勢を維持することができるようにするため、中間部２１の任意の貫材２５と脚体１，２の上端に架け渡されたバー１２との間にステー１５が着脱自在に架け渡される。ステー１５が、中間部２１の一辺２０ａ側の貫材２５に架け渡されると、天板部２０の傾斜は大きくなり、中間部２１の他片２０ｂ側の貫材２５架け渡されると、天板部２０の傾斜は小さくなる。
【００３２】
そして、リンク機構４０は、中折リンク４１、縦リンク４２、傾斜リンク４３を組み合わせたものとされ、脚体１，２の第１と第３の連結部材３１，３３が連結された手前側と、第２と第４の連結部材３２，３４が連結された奥側とに備えられる。
【００３３】
そして、中折リンク４１，４１は、２本一組で第１と第２の脚体１，２の中段と下段に架け渡されている。各中折リンク４１，４１同士は、コネクタ４４によって連結され、各中折リンク４１と脚体１，２とは枢軸によって連結されている。中段のコネクタ４４は、手で掴めるようにするためのグリップ４４ａが設けられている。そして、中段の中折リンク４１のコネクタ４４と下段の中折リンク４１のコネクタ４４とが縦リンク４２によって連結されている。
【００３４】
また、傾斜リンク４３は、一端が下側の中折リンク４１と脚体１，２との連結部分に枢軸によって連結され、他端が縦リンク４２に沿って移動するコネクタ４４に連結されている。さらに、下段の手前側の中折リンク４１，４１同士を連結しているコネクタ４４と下段の奥側の中折リンク４１，４１同士を連結しているコネクタ４４とがバー４５によって連結されている。
【００３５】
そして、側板部５０，５０は、水平姿勢と垂下姿勢とに方向転換することができるように両脚体１，２の上端と中段とに取り付けられている。上端に取り付けられた側板部５０は、図４に示すように、垂下姿勢となった時に、先端部が中段に取り付けられた側板部５０の基端部に向き合う長さに形成されている。また、側板部５０は、脚体１，２の幅の間隔で平行に配置されたサイドフレーム５１，５１と、このサイドフレーム５１，５１間に架け渡された多数の貫材５２，５２，…とによって縦縞状に形成されている。
【００３６】
そして、各フレーム５１，５１の基端部が枢軸によって脚体１，２に軸支され、水平姿勢を維持することができるように、脚体１，２とフレームとの間にステー１５が着脱自在に架け渡されている。なお、ここでいう水平姿勢とは、厳格な意味での水平姿勢でなく、やや上向きの姿勢も含めたものをいう。
【００３７】
ここで、この折畳式物干台の使用方法について説明する。まず、この折畳式物干台は、基本的に図１に示すように、天板部２０を傾斜姿勢とし、側板部５０を水平姿勢として使用する。このとき、天板部２０は、中間部２１の第１の角部２１ａと第３の角部２１ｃとが第１の連結部材３１と第３の連結部材３３とによって第１の支柱１と第２の支柱２とに支持され、第２の連結部材３２と第４の連結部材３４のピン３９ａ（第４の連結部材３４については符号なし）が基部３９ｃの溝３９ｂ（第４の連結部材３４については符号なし）から抜き出ることによって傾斜姿勢となり、ステー１５，１５によって傾斜姿勢を維持する。
【００３８】
そして、天板部２０は、拡張部２２，２３が展開され、洗濯物を引っ掛ける範囲が折り畳まれているときよりも拡大されている。また、傾斜した中間部２１よりも上側に張り出した拡張部２３が傾斜した中間部２１の他辺２０ｂよりもさらに延長されているため、この拡張部２３の外側辺２３ａは、脚体１，２よりもずっと高くなり、脚体１，２よりもずっと長い洗濯物を吊り下げることができる。
【００３９】
なお、長い洗濯物を吊り下げないときは、天板部２０は水平姿勢としてもよい。このとき、第２の連結部材３２と第４の連結部材３４は、天板部２０の中間部２１の第２及び第４の角部２１ｂ，２１ｄと両脚体１，２とを連結し、天板部２０が水平姿勢を維持するようにされている。
【００４０】
そして、この折畳式物干台を収納するときは、図３に示すように、天板部２０の拡張部２２，２３を折り畳み、中間部２１に重ね合わせ、ステー１５，１５を外し、天板部２０を水平姿勢とする。なお、天板部２０を水平姿勢としてから、拡張部２２，２３を折り畳んでもよい。天板部２０が水平姿勢となると、第２の連結部材３２と第４の連結部材３４のピン３９ａ（第４の連結部材３４については符号なし）が基部３９ｃの溝３９ｂ（第４の連結部材３４については符号なし）内に係入する。
【００４１】
そして、側板部５０のステー１５を外し、図４に示すように、側板部５０を垂下姿勢とする。なお、洗濯物が少ないときは、側板部５０を水平姿勢にすることなく、垂下姿勢としたまま使用してよい。
【００４２】
そして、第３の連結部材３３と第４の連結部材３４のフック３７をピン３８から外し、第１の連結部材３１と第２の連結部材３２の軸受３５を移動することにより、天板部２０を位置ずれさせ、第１の脚体１に沿うように垂下姿勢とする。第１と第２の連結部材３１，３２の軸３６が長穴３５ａ内に係入されていることから、第１の連結部材３１と第２の連結部材３２が支軸となって、天板部２０は垂下姿勢をとなる。
【００４３】
そして、リンク機構４０の中段の中折リンク４１，４１を連結しているコネクタ４４のグリップ４４ａが掴まれて上方に持ち上げられると、中段と下段の中折リンク４１，４１，…が上向きのへ字形に傾斜し、また、傾斜リンク４３がさらに傾斜し、第１の脚体１と第２の脚体２とが接近する。そして、この折畳式物干台は、図５に示すように、第１の脚体１と第２の脚とが接近し、コネクタ４４の幅を空けてコンパクトに折り畳まれる。この第１の脚体１と第２の脚体２とは、平行に起立しているため、自立し、また、スムーズに移動させることができる。
【００４４】
なお、本発明は、前記実施の形態に限定することなく、種々変更することができる。例えば、脚体１，２には側板部５０一方のみ又は両方が備えられず、また、天板部２０には拡張部２２，２３が一方のみ又は両方が備えられていないものでも実施することができる。さらに、第１ないし第４の連結部材３１〜３４は、前記の形態に限らず、各種普及している形態のものを使用することもできる。また、前記の説明では、洗濯物を吊り下げるとして説明したが、使用者の任意で何を吊り下げてもよい。
【図面の簡単な説明】
【００４５】
【図１】本発明に係る折畳式物干台の一実施形態であって、使用中を示す斜視図である。
【図２】本発明に係る折畳式物干台を構成している第１又は第２の連結部材の一実施形態を示す分解斜視図である。
【図３】本発明に係る折畳式物干台の一実施形態であって、折り畳んでいる途中を示す側面図である。
【図４】本発明に係る折畳式物干台の一実施形態であって、折り畳んでいる途中を示す正面図である。
【図５】本発明に係る折畳式物干台の一実施形態であって、折り畳んだ状態を示す斜視図である。
【図６】従来の物干し具であって、使用中を示す斜視図である。
【図７】従来の物干し具であって、折り畳んだ状態を示す斜視図である。
【符号の説明】
【００４６】
１………第１の脚体
２………第２の脚体
２０……天板部
２０ａ…一辺
２０ｂ…他辺
２０ｃ…一方の端部
２０ｄ…他方の端部
２１……中間部
２１ａ…第１の角部
２１ｂ…第２の角部
２１ｃ…第３の角部
２１ｄ…第４の角部
２２……拡張部
２３……拡張部
３１……第１の連結部材
３２……第２の連結部材
３３……第３の連結部材
３４……第４の連結部材
３５……軸受
３５ａ…長穴
３６……軸
３７……フック
３８……ピン
４０……リンク機構
５０……側板部
【図１】
2010057719.tif 000003
【図２】
2010057719.tif 000004
【図３】
2010057719.tif 000005
【図４】
2010057719.tif 000006
【図５】
2010057719.tif 000007
【図６】
2010057719.tif 000008
【図７】
2010057719.tif 000009